(57)【要約】【課題】  メンテナンスフリーであって、装置の設置が容易であり、安価な集塵方式を提供することを目的とする。【解決手段】  液体スプレイ噴霧装置を備えた除塵排気塔において、発塵源のある建物、構造物及びその他の建造物に形成される自然換気の排気口に設置される排気塔内に、少なくとも１個以上の断面円形又は矩形の排気流路部材を所定の間隔で設置し、その排気流路部材内に液体スプレイ噴霧装置を配置し、前記排気流路部材のみに排気流が通過するように前記排気流路部材以外の部分を遮蔽することを特徴とする。【選択図】図１
2005144433.tif 000002
【特許請求の範囲】
【請求項１】
発塵源のある建物、構造物及びその他の建造物に形成される自然換気の排気口に設置される排気塔内に、少なくとも1個以上の断面円形又は矩形の排気流路部材を所定の間隔で設置し、その排気流路部材内に液体スプレイ噴霧装置を配置し、前記排気流路部材のみに排気流が通過するように前記排気流路部材以外の部分を遮蔽することを特徴とする液体スプレイ噴霧装置を備えた除塵排気塔。
【請求項２】
前記排気流路部材の前後面の少なくとも液体スプレイ噴霧装置の液体噴霧方向側に水膜生成用網を１枚以上配置することを特徴とする請求項１に記載の液体スプレイ噴霧装置を備えた除塵排気塔。
【請求項３】
前記排気流路部材を排気流の方向と平行に配置することを特徴とする請求項１又は２に記載の液体スプレイ噴霧装置を備えた除塵排気塔。
【請求項４】
前記排気流路部材を排気流の方向と直交する方向に配置することを特徴とする請求項１又は２に記載の液体スプレイ噴霧装置を備えた除塵排気塔。
【請求項５】
一方の排気流路部材を排気流の方向と平行に配置し、他方の排気流路部材を排気流の方向と直行する方向に配置し、前記両排気流路部材との間に混合室を形成することを特徴とする請求項１又は２に記載の液体スプレイ噴霧装置を備えた除塵排気塔。
【請求項６】
前記液体スプレイ噴霧装置の下流側に乱流形成手段を配置することを特徴とする請求項５に記載の液体スプレイ噴霧装置を備えた除塵排気塔。
【請求項７】
前記自然換気の排気口が形成される部位が、屋根又は外壁の一方又は両方であることを特徴とする請求項１に記載の液体スプレイ噴霧装置を備えた除塵排気塔。
【発明の詳細な説明】
【技術分野】
【０００１】
本発明は、発塵源のある建物、構造物およびその他の建造物に設置される自然換気の排気塔からの粉塵排出を抑制する除塵排気塔に関する。
【背景技術】
【０００２】
従来、室内に発塵源が存在する場合、粉塵を含む室内の空気を強制換気手段により湿式機械集塵装置等の装置内に送り、排気流に液体を噴霧して排気流中の粉塵を湿らせ排気流から分離・回収する湿式機械集塵方法が採用されている。
【特許文献１】特開平６−１８５７５８号公報
【特許文献２】特開平７−２２７５１５号公報
【特許文献３】特開平７−３２８３６７号公報
【発明の開示】
【発明が解決しようとする課題】
【０００３】
しかし、従来の湿式機械集塵方法は装置が大規模となり、装置の設置のための経費及び装置のメンテナンスに多額の費用を必要とするという問題を有するものであった。
【０００４】
本発明は、従来の湿式集塵方法の問題点を解消したメンテナンスフリーであって、装置の設置が容易であり、安価な集塵方法を提供することを目的とする。
【課題を解決するための手段】
【０００５】
本第１発明は、前記課題を解決するために、液体スプレイ噴霧装置を備えた除塵排気塔において、発塵源のある建物、構造物及びその他の建造物に形成される自然換気の排気口に設置される排気塔内に、少なくとも１個以上の断面円形又は矩形の排気流路部材を所定の間隔で設置し、その排気流路部材内に液体スプレイ噴霧装置を配置し、前記排気流路部材のみに排気流が通過するように前記排気流路部材以外の部分を遮蔽することを特徴とする。
【０００６】
本第２発明は、本第１発明の液体スプレイ噴霧装置を備えた除塵排気塔において、前記排気流路部材の前後面の少なくとも液体スプレイ噴霧装置の液体噴霧方向側に水膜生成用網を１枚以上配置することを特徴とする。
【０００７】
本第３発明は、本第１又は第２発明の液体スプレイ噴霧装置を備えた除塵排気塔において、前記排気流路部材を排気流の方向と平行に配置することを特徴とする。
【０００８】
本第４発明は、本第１又は第２発明の液体スプレイ噴霧装置を備えた除塵排気塔において、前記排気流路部材を排気流の方向と直交する方向に配置することを特徴とする。
【０００９】
本第５発明は、本第１又は第２発明の液体スプレイ噴霧装置を備えた除塵排気塔において、一方の排気流路部材を排気流の方向と平行に配置し、他方の排気流路部材を排気流の方向と直交する方向に配置し、前記排気流路部材との間に混合室を形成することを特徴とする。
【００１０】
本第６発明は、本第５発明の液体スプレイ噴霧装置を備えた除塵排気塔において、前記液体スプレイ噴霧装置の下流側に乱流形成手段を配置することを特徴とする。
【００１１】
本第７発明は、本第１発明の液体スプレイ噴霧装置を備えた除塵排気塔において、その設置部位が屋根又は外壁の一方又は両方であることを特徴とする。
【発明の効果】
【００１２】
本発明の液体スプレイ噴霧装置を備えた除塵排気塔では、発塵源が存在する建物、構造物及びその他の建造物に形成される自然換気の排気口に設置される排気塔に、液体スプレイ噴霧装置を設置する構成により、上昇気流に乗って建物、構造物及びその他の建造物から外部に排出される手前で液体スプレイ噴霧装置から噴霧される液体により粉塵が液体と結びつき質量が増加することで排気流中の粉塵が分離回収でき、従来の湿式機械集塵方法より設備費が安価でメンテナンスフリーであるため、極めて安い費用により大きな除塵効果を得ることが可能となる。
【００１３】
自然換気の排気口に、少なくとも１個以上の断面円形又は矩形の排気流路部材を所定の間隔で設置し、その排気流路部材内に液体スプレイ噴霧装置を配置し、前記排気流路部材内のみに排気流が通過するように前記排気流路部材以外の部分を遮蔽する構成により、液体スプレイ噴霧装置から狭隘な排気流路部材内に噴出された直後の液体中を排気流が通過し、排気流中の粉塵と液体の付着効果を向上することができる。
【００１４】
排気流路部材の前後面の少なくとも液体スプレイ噴霧装置の液体噴霧方向側に水膜生成用網を１枚以上配置する構成により、排気流路部材内を通過する排気流が確実に水膜を通過するので排気流中の粉塵と液体の付着効果をより一層向上することができる。
【００１５】
一方の排気流路部材を排気流の方向と平行に配置し、他方の排気流路部材を排気流の方向と直交する方向に配置し、前記排気流路部材との間に混合室を形成する構成により、混合室内での排気流中の粉塵と液体の付着時間を増加させ、粉塵と液体の付着効果を向上することができる。
【００１６】
液体スプレイ噴霧装置の下流側に排気を乱流とする乱流生成手段を配置する構成により、排気流中の粉塵と液体の付着時間を増加させ、粉塵と液体の付着効果をより一層向上することができる。
【発明を実施するための最良の形態】
【００１７】
次に、本発明を図示の実施形態により説明する。
【実施例１】
【００１８】
本発明の実施形態を図により説明する。図１（ａ）（ｂ）は、本発明の液体スプレイ噴霧装置を備えた除塵排気塔の実施例１を示すものである。除塵排気塔１は、発塵源のある工場等の建家の屋根２に形成された自然排気の換気口３に設置される。除塵排気塔１は、排気口３を区画する下部水平部４と、下部水平部４の排気口３側端部から垂直に低い高さで立ち上がる下部垂直部５と、下部水平部４の排気口３と反対側の端部から垂直に立ち上がる垂直壁部６と、垂直壁部６の上端から排気口３側に水平に延び、上部開口８を形成する上部水平屋根部７を有する。除塵排気塔１内には、上部開口８からの雨水の浸入するのを防ぐ中間水平屋根部９が設置される。除塵排気塔１内に、中間屋根部９の両端に固定される内部垂直隔壁１０と垂直壁部５により区画される排気通路１１が形成される。排気通路１１内に、少なくとも１個以上の断面円形又は矩形の排気流路部材１２を設置する。図１（ａ）（ｂ）に示される実施例１においては、排気流路部材１２は、排気通路１１内に排気流の方向と平行に配置する。排気通路１１には、排気流が排気流路部材１２内のみを流れるように遮蔽壁１３を設置する。排気流路部材１２内には、液体スプレイ噴霧装置１４が設置される。液体スプレイ噴霧装置１４のノズルから液体を排気流の方向又は排気流と反対方向に噴射する。排気流路部材１２に少なくとも液体スプレイ噴霧装置の液体スプレイ側に水膜生成用網１５を設置する。水膜生成用網１５は、排気流路部材１２の前後に複数枚設置してもよい。
【００１９】
粉塵を含んだ排気流は、自然換気の上昇流となって建家の屋根２の形成された排気口３から除塵排気口１内に入る。除塵排気搭１内の排気流は、排気通路１１内に設置された排気流路部材１２内を流れる。排気流路部材１２内には、液体スプレイ噴霧装置１４と、液体スプレイ噴霧装置１４からの液体スプレイにより水膜を形成する水膜生成用網１５が設置されているので、狭い排気流路部材１２内を通過する排気流中の粉塵は、確実に液体と接触し、その見掛け比重を増大して排気流から分離され、除塵排気塔１の下部水平部４又は中間水平屋根部９上に落下し、粉塵を除去された排気流が除塵排気塔１の上部開口８から外部に排出される。
【実施例２】
【００２０】
図２（ａ）（ｂ）は、本発明の実施例２を示すものである。この実施例２においては、排気通路１１内に排気流路部材１２を上昇流として除塵排気塔１内に流入する排気流の方向と直交する方向、つまり水平に配置したものである。その他の構成は前記実施例１に示したものと同様である。排気流路部材１２を水平に配置する場合は、液体スプレイ噴霧装置１４から噴霧され、粉塵と結びついた液体が流れ落ちやすいように排気流の入口側が若干下側になるように傾けて配置する。
【実施例３】
【００２１】
図３（ａ）（ｂ）は、本発明の実施例３を示すものである。この実施例３においては、排気通路１１内に、排気流の方向と平行に排気流路部材１２を配置し、その下流側に排気流と直交する方向に排気流路部材１２を配置し、両排気流路部材１２，１２との間に遮蔽壁１３により閉ざされた混合室１６を形成する。その他の構成は前記実施例１、２に示したものと同様である。混合室１６内での排気流中の粉塵と液体の付着時間を増加させ、粉塵と液体との付着効果を向上させることができる。
【実施例４】
【００２２】
図４（ａ）（ｂ）は、本発明の実施例４を示すものである。この実施例４においては、前記実施形態３のように混合室１６を設けると共に、液体スプレイ噴霧装置１４が設置された排気流路部材１２の外側に、即ち液体スプレイ噴霧装置の下流側に、排気流の乱流形成手段として乱流生成板１７を配置する。排気通路１１内で排気流路部材１２の下流側に間隔をおいて排気流の方向と直角または傾斜して交差するように矩形等の乱流生成板１７が設けられる。その他の構成は前記実施例１、２に示したものと同様である。液体スプレイ噴霧装置１４の下流側に配置した乱流生成板１７に排気流が衝突することで乱流を生成することにより排気流中の粉塵と液体の付着時間を増加させ、粉塵と液体との付着効果を向上させることができる。
【００２３】
前記各実施形態では、屋根２に形成された自然換気の換気口３に、液体スプレイ噴霧装置を備えた除塵排気塔の形態を示したが、本発明を実施する場合、図示を省略するが、外壁に形成された自然換気の換気口に、前記各実施形態の液体スプレイ噴霧装置を備えた除塵排気塔を取付けるようにしてもよく、この場合には、外壁外側の排気ダクトの排気口部に下部水平部４を取り付けるようにすれば、前記各実施形態の除塵排気塔の姿勢を変えることなく取付けることができる。なお、必要に応じ、垂直壁部６を外壁に取り付けてもよい。
【００２４】
また、本発明を実施する場合、屋根２または外壁の一方または両方に形成された自然換気の換気口に、前記各実施形態の液体スプレイ噴霧装置を備えた除塵排気塔を設けるようしてもよく、屋根２および外壁の両方の換気口に設けると、一方に設ける場合に比べて室内の粉塵除去処理を高めることができる。
【図面の簡単な説明】
【００２５】
【図１】（ａ）（ｂ） 本発明の実施形態を示す図である。
【図２】（ａ）（ｂ） 本発明の実施形態を示す図である。
【図３】（ａ）（ｂ） 本発明の実施形態を示す図である。
【図４】（ａ）（ｂ） 本発明の実施形態を示す図である。
【符号の説明】
【００２６】
１    除塵排気塔
２    屋根
３    排気口
４    下部水平部
５    下部垂直部
６    垂直壁部
７    上部水平屋根部
８    上部開口
９    中間水平屋根部
１０  内部垂直隔壁
１１  排気通路
１２  排気流路部材
１３  遮蔽壁
１４  液体スプレイ噴霧装置
１５  水膜生成用網
１６  混合室
１７  乱流生成板
【図１】
2005144433.tif 000003
【図２】
2005144433.tif 000004
【図３】
2005144433.tif 000005
【図４】
2005144433.tif 000006